(57)【要約】  【課題】  画素数および圧縮率をパラメータとして空き領域にさらに記憶可能な映像枚数を表示することのできるデジタルカメラを提供する。  【解決手段】  本発明に係るデジタルカメラ１は、映像情報から複数の画素数の中で現在選択されている画素数である選択画素数の画素を有し、複数の圧縮率の中で現在選択されている圧縮率である選択圧縮率で圧縮した映像データを生成する映像データ生成手段１１と、映像データを記憶する映像データ記憶手段１２と、複数の画素数および複数の圧縮率を表示する表示手段１３と、映像データが記憶されていない映像データ記憶手段１２の空き領域に記憶可能な映像枚数を複数の画素数ごとおよび複数の圧縮率ごとに算出して表示手段１３に表示する記憶可能映像枚数表示手段１４とを含む。【選択図】  図１
2006314026.tif 000002
【特許請求の範囲】
【請求項１】
映像情報から、複数の画素数の中で現在選択されている画素数である選択画素数の画素を有し、複数の圧縮率の中で現在選択されている圧縮率である選択圧縮率で圧縮した映像データを生成する映像データ生成手段と、
前記映像データを記憶する映像データ記憶手段と、
前記複数の画素数、および前記複数の圧縮率を表示する表示手段と、
前記映像データ記憶手段中の前記映像データが記憶されていない空き領域に記憶可能な映像枚数を前記複数の画素数ごと、および前記複数の圧縮率ごとに算出して前記表示手段に表示する記憶可能映像枚数表示手段とを含むデジタルカメラ。
【請求項２】
前記表示手段が、前記選択画素数、および前記選択圧縮率を強調表示する強調表示手段を含む請求項１に記載のデジタルカメラ。
【請求項３】
前記選択画素数および前記選択圧縮率の少なくとも一方を変更する変更手段を含む請求項２に記載のデジタルカメラ。
【請求項４】
前記記憶可能映像枚数表示手段が、前記選択画素数、および前記選択圧縮率に基づいて今回生成した映像データを記憶するときの記憶容量である今回使用容量を算出する今回使用容量算出手段と、前記映像データ記憶手段中で映像データが記憶されていない領域の記憶容量である空き容量から前記今回使用容量を減算して今後使用可能容量を算出する今後使用可能容量算出手段と、映像データを前記映像データ記憶手段に記憶するときに使用する記憶容量である使用容量を前記複数の画素数ごと、および前記複数の圧縮率ごとに算出する使用容量算出手段と、前記今後使用可能容量を前記使用容量で除して前記複数の画素数ごとおよび前記複数の圧縮率ごとに前記今後使用可能容量に記憶可能な映像枚数を算出する映像枚数算出手段と、前記映像枚数を表示する映像枚数表示手段とを含む請求項１から請求項３のいずれか１項に記載のデジタルカメラ。
【請求項５】
請求項１から請求項４のいずれかに記載のデジタルカメラを備えたことを特徴とする携帯電話機。
【請求項６】
映像データ生成時に使用可能な複数の画素数の中で現在選択されている画素数である選択画素数の画素を有し、前記映像データ生成時に使用可能な複数の圧縮率の中で現在選択されている圧縮率である選択圧縮率で圧縮された映像データを映像データ記憶メモリに記憶するときに使用する記憶容量である今回使用容量を算出する今回使用容量算出段階と、前記映像データ記憶メモリ中の前記映像データが記憶されていない領域の記憶容量である空き容量から前記今回使用容量を減算して今後使用可能容量を算出する今後使用可能容量算出段階と、前記複数の画素数ごと、および前記複数の圧縮率ごとに映像データを記憶するときに使用する記憶容量である使用容量を算出する使用容量算出段階と、前記今後使用可能容量を前記使用容量で除して前記複数の画素数ごと、および前記複数の圧縮率ごとに前記今後使用可能容量に記憶可能な映像枚数を算出する映像枚数算出段階と、前記映像枚数を表示する映像枚数表示段階とをコンピュータに実行させるための記憶可能映像枚数算出プログラム。
【発明の詳細な説明】
【技術分野】
【０００１】
本発明は、デジタルカメラ、デジタルカメラを備えた携帯電話機、および記憶可能映像枚数算出プログラムに係る。
【背景技術】
【０００２】
カメラは、現在では、映像情報を映像データとして映像データ記憶メモリ内に記憶するデジタルカメラが主流となってきているが、記憶可能な映像枚数は映像データ記憶メモリの容量、映像データの画素数（解像度）および圧縮率（画質）に応じて定まる。
【０００３】
そこで、映像データ記憶メモリの容量、映像データが記憶されていない空き領域の容量、ならびに、選択されている画素数圧縮率に基づいて、空き領域にさらに記憶可能な映像枚数を表示するデジタルスチルカメラが既に提案されている（例えば、特許文献１参照）。
【０００４】
一方で、近年の携帯電話機にはデジタルカメラを搭載することが一般的な仕様となっているが、携帯電話機に搭載されるデジタルカメラの性能も単体のデジタルカメラと同様に年々高度化してきている。
【特許文献１】特開２００２−１９０９７６号公報（［００４０］、図３）
【発明の開示】
【発明が解決しようとする課題】
【０００５】
しかしながら、上記の従来のデジタルスチルカメラには、映像データ生成時に使用する画素数および圧縮率を選択した後でなければ、空き領域にさらに記憶可能な映像枚数を知ることができないという課題があった。
【０００６】
本発明は、従来の課題を解決するためになされたものであって、画素数および圧縮率を選択しなくても画素数および圧縮率をパラメータとして空き領域にさらに記憶可能な映像枚数を表示することのできるデジタルカメラを提供することを目的とする。
【課題を解決するための手段】
【０００７】
本発明のデジタルカメラは、複数の画素数の中で現在選択されている画素数である選択画素数の画素を有し、複数の圧縮率の中で現在選択されている圧縮率である選択圧縮率で圧縮した映像データを生成する映像データ生成手段と、前記映像データを記憶する映像データ記憶手段と、前記複数の画素数、および前記複数の圧縮率を表示する表示手段と、前記映像データ記憶手段中の前記映像データが記憶されていない空き領域に記憶可能な映像枚数を前記複数の画素数ごとおよび前記複数の圧縮率ごとに算出して前記表示手段に表示する記憶可能映像枚数表示手段とを含む構成を有している。
【０００８】
この構成により、画素数および圧縮率をパラメータとしてさらに記憶可能な映像枚数を表示できることとなる。
【０００９】
本発明のデジタルカメラは、前記表示手段が、前記選択画素数および前記選択圧縮率を強調表示する強調表示手段を含む構成を有している。
【００１０】
この構成により、現在選択されている画素数および圧縮率を強調して表示することができることとなる。
【００１１】
本発明のデジタルカメラは、前記選択画素数および前記選択圧縮率の少なくとも一方を変更する変更手段を含む構成を有している。
【００１２】
この構成により、映像データ生成時に使用する画素数および圧縮率を変更できることとなる。
【００１３】
本発明のデジタルカメラは、前記記憶可能映像枚数表示手段が、前記選択画素数および前記選択圧縮率に基づいて今回生成した映像データを記憶するときの記憶容量である今回使用容量を算出する今回使用容量算出手段と、前記映像データ記憶手段中で前記映像データが記憶されていない領域の記憶容量である空き容量から前記今回使用容量を減算して今後使用可能容量を算出する今後使用可能容量算出手段と、映像データを前記映像データ記憶手段に記憶するときに使用する記憶容量である使用容量を前記複数の画素数ごとおよび前記複数の圧縮率ごとに算出する使用容量算出手段と、前記今後使用可能容量を前記使用容量で除して前記複数の画素数ごとおよび前記複数の圧縮率ごとに前記今後使用可能容量に記憶可能な映像枚数を算出する映像枚数算出手段と、前記映像枚数を表示する映像枚数表示手段とを含む構成を有している。
【００１４】
この構成により、映像データを生成するたびに空き容量に記憶可能な映像データの枚数を更新できることとなる。
【００１５】
本発明の記憶可能映像枚数算出プログラムは、映像データ生成時に使用可能な複数の画素数の中で現在選択されている画素数である選択画素数の画素を有し映像情報記憶時に使用可能な複数の圧縮率の中で現在選択されている圧縮率である選択圧縮率で圧縮された映像データを映像データ記憶メモリに記憶するときに使用する記憶容量である今回使用容量を算出する今回使用容量算出段階と、前記映像データ記憶メモリ中の前記映像データが記憶されていない領域の記憶容量である空き容量から前記今回使用容量を減算して今後使用可能容量を算出する今後使用可能容量算出段階と、前記複数の画素数ごとおよび前記複数の圧縮率ごとに映像データを記憶するときに使用する記憶容量である使用容量を算出する使用容量算出段階と、前記今後使用可能容量を前記使用容量で除して前記複数の画素数ごとおよび前記複数の圧縮率ごとに前記今後使用可能容量に記憶可能な映像枚数を算出する映像枚数算出段階と、前記映像枚数を表示する映像枚数表示段階とを含む構成を有している。
【００１６】
この構成により、映像データを生成するたびに、空き容量に記憶可能な画素数および圧縮率ごとの映像データ枚数を更新できることとなる。
【発明の効果】
【００１７】
本発明は、映像データ記憶手段中の映像データが記憶されていない空き領域に記憶可能な映像枚数を複数の画素数ごとおよび複数の圧縮率ごとに算出して表示手段に表示する記憶可能映像枚数表示手段を設けることにより、画素数および圧縮率を選択しなくても、空き領域にさらに記憶可能な映像枚数を表示できるという効果を有するデジタルカメラを提供することができるものである。
【発明を実施するための最良の形態】
【００１８】
以下、本発明の実施の形態のデジタルカメラについて、図面を用いて説明する。
【００１９】
本発明の実施の形態のデジタルカメラのブロック図を図１に示す。
【００２０】
即ち、本発明の実施の形態のデジタルカメラ１は、映像情報から複数の画素数ｐ（ｉ）（１≦ｉ≦Ｉ）の中で現在選択されている画素数である選択画素数Ｐを有し、複数の圧縮率ｑ（ｊ）（１≦ｊ≦Ｊ）の中で現在選択されている圧縮率である選択圧縮率Ｑで圧縮した映像データを生成する映像データ生成手段１１と、映像データを記憶する映像データ記憶手段１２と、複数の画素数ｐ（ｉ）および複数の圧縮率ｑ（ｊ）を表示する表示手段１３と、映像データが記憶されていない映像データ記憶手段１１の空き領域に記憶可能な映像枚数を複数の画素数ｐ（ｉ）ごと、および複数の圧縮率ｑ（ｊ）ごとに算出して表示手段１３に表示する記憶可能映像枚数表示手段１４とを含む。
【００２１】
なお、本発明の実施の形態のデジタルカメラ１は、表示手段１３が選択画素数Ｐおよび選択圧縮率Ｑを強調表示する強調表示手段１５を含んでいてもよい。
【００２２】
さらに、本発明の実施の形態のデジタルカメラ１は、表示手段１３に表示された選択画素数あるいは選択圧縮率を変更する変更手段１６を含んでいてもよい。
【００２３】
図２は、本発明の実施の形態のデジタルカメラのハードウエアの構成を示すブロック図である。
【００２４】
映像データ生成手段１１は、映像情報を取り込むレンズ２１１と、光量を調整する絞り２１２と、映像情報を映像信号に変換するＣＣＤ２１３と、映像信号に含まれる雑音を相関二重サンプリング（ＣＤＳ）により除去するＣＤＳ部２１４と、映像信号を映像データに変換するＡ／Ｄ変換部２１５と、映像データを圧縮する圧縮部２１６と、ＣＣＤ２１３上に形成される映像情報の焦点を合わせる焦点モータ２１７と、絞り２１２の開度を調整する絞りモータ２１８と、ＣＣＤ２１３、ＣＤＳ部２１４、Ａ／Ｄ変換部２１５、圧縮部２１６、焦点モータ２１７、および絞りモータ２１８を制御する制御部２０とを含むカメラ部２１で構成される。
【００２５】
なお、制御部２０は、マイクロプロセッサシステムであって、バス２０１と、プログラムに基づき演算を実行するＣＰＵ２０２と、プログラムを記憶するメモリ２０３と、ＣＣＤ２１３、ＣＤＳ部２１４、Ａ／Ｄ変換部２１５および圧縮部２１６を接続する撮像インターフェイス（Ｉ／Ｆ）２０４と、焦点モータ２１７および絞りモータ２１８を接続するモータＩ／Ｆ２０５と、液晶パネル２３、ポインティングボタン２６およびシャッタボタン２７を接続する操作Ｉ／Ｆ２０６とを含む。
【００２６】
そして、映像データ記憶手段１２はフラッシュメモリ２２により構成され、表示手段１３は液晶パネル２３により構成される。
【００２７】
また、記憶可能影像枚数表示手段１４および強調表示手段１５はメモリ２０３に記憶されるプログラムを実行するＣＰＵ２０２と液晶パネル２３とで構成され、変更手段１６はメモリ２０３に記憶されるプログラムを実行するＣＰＵ２０２とポインティングボタン２６とで構成される。
【００２８】
なお、ポインティングボタン２６は中央に決定キーを、その周囲上下左右に４つのカーソル移動キーを有している。
【００２９】
以上のように構成された本発明の実施の形態のデジタルカメラについて、その動作を説明する。
【００３０】
映像情報はレンズ２１１および絞り２１２を介してＣＣＤ２１３に取り込まれ、選択画素数Ｐの映像信号に変換される。
【００３１】
映像信号に含まれる雑音はＣＤＳ部２１４において相関二重サンプリング処理により除去され、雑音の除去された映像信号はＡ／Ｄ変換部２１５によりデジタル信号である映像データに変換される。
【００３２】
映像データは、データ量を削減するために圧縮部２１６において選択圧縮率Ｑに圧縮されて、フラッシュメモリ２２に記憶される。
【００３３】
映像情報の焦点を合わせるためにレンズ２１１は焦点モータ２１７により駆動され、ＣＣＤ２１３に入射する光量を調節するために絞り２１２の開度は絞りモータ２１８により調整される。
【００３４】
図３は液晶パネル２３に表示される画素数ｐ（ｉ）および圧縮率ｑ（ｊ）の表示例を示す図であって、画素数ｐ（ｉ）は「多」、「中」および「少」の３段階を有し、圧縮率ｑ（ｊ）は「高」、「中」および「低」の３段階を有する場合を示している。
【００３５】
そして、現在選択されている画素数である選択画素数Ｐおよび現在選択されている圧縮率である選択圧縮率Ｑは強調表示手段１５（図１）により強調表示される。強調表示の方法は、特に限定されず、選択画素数Ｐおよび選択圧縮率Ｑを四角枠で囲む、反転表示する、色を変えて表示する、太字で表示する等の方法を適用できる。
【００３６】
なお、選択画素数Ｐおよび選択圧縮率Ｑは、ポインティングボタン２６の操作により変更することが可能である。
【００３７】
図３の例では、上下のカーソル移動キーを操作して選択画素数Ｐを変更することが可能であり、左右のカーソル移動キーを操作して選択圧縮率Ｑを変更することが可能である。
【００３８】
図４は、ＣＰＵ２０２が実行する記憶可能映像枚数算出ルーチンのフローチャートであって、ＣＰＵ２０２は、まず、シャッタ２７が押下されたか否かを判定する（ステップＳ４０１）。
【００３９】
シャッタ２７が押下されたときには、ＣＰＵ２０２は、シャッタ２７押下時の選択画素数Ｐおよび選択圧縮率Ｑを読み込み（ステップＳ４０２）、映像データをフラッシュメモリ２２に記憶するときの記憶容量である今回使用容量ＶＢを選択画素数Ｐおよび選択圧縮率Ｑの関数として［数１］により算出する（ステップＳ４０３）。
【００４０】
【数１】
2006314026.tif 000003
【００４１】
次に、ＣＰＵ２０２は、フラッシュメモリ２２の今回の映像データ生成前の空き容量Ｃから今回使用容量ＶＢを減算して、次回の撮影で使用可能なメモリ容量である今後使用可能容量Ｃを更新する（ステップＳ４０４）。
【００４２】
ＣＰＵ２０２は、映像データ生成時に使用可能な画素数ｐを識別するインデックスｉを初期値“１”に設定し（ステップＳ４０５）、次に、映像データ生成時に使用可能な圧縮率ｑを識別するインデックスｊを初期値“１”に設定（ステップＳ４０６）する。
【００４３】
そしてＣＰＵ２０２は、画素数ｐ（ｉ）、圧縮率ｑ（ｊ）で生成した映像データをフラッシュメモリ２２に記憶する際のメモリ容量である使用容量Ｖを［数２］により算出する（ステップＳ４０７）。
【００４４】
【数２】
2006314026.tif 000004
【００４５】
次に、ＣＰＵ２０２は、［数３］を使用して、今後使用可能容量Ｃを使用容量Ｖで除した商以下の最大の整数を記憶可能映像枚数ｎ（ｉ，ｊ）として算出する（ステップＳ４０８）。
【００４６】
【数３】
2006314026.tif 000005
【００４７】
ＣＰＵ２０２は、圧縮率ｑの識別インデックスｊが最大値Ｊに到達したか否かを判定し（ステップＳ４０９）、識別インデックスｊが最大値Ｊに到達していないときは識別インデックスｊをインクリメントして（ステップＳ４１０）、ステップＳ４０７に戻る。
【００４８】
一方、識別インデックスｊが最大値Ｊに到達しているときは、画素数ｐの識別インデックスｉが最大値Ｉに到達したか否かを判定し（ステップＳ４１１）、識別インデックスｉが最大値Ｉに到達していないときは識別インデックスｉをインクリメントして（ステップＳ４１２）、ステップＳ４０６に戻る。
【００４９】
一方、識別インデックスｉが最大値Ｉに到達しているときは、図３の○で示した位置に［数３］に基づき算出された記憶可能映像枚数ｎ（ｉ，ｊ）を表示して（ステップＳ４１３）、このルーチンを終了する。
【００５０】
なお、ＣＰＵ２０２は、ステップＳ４０１においてシャッタが押下されていないと判定したときは、直ちにこのルーチンを終了する。
【００５１】
上記の実施の形態では、映像は静止画であるとしているが、動画である場合にも本発明を適用することができる。
【００５２】
図５は、ＣＰＵ２０２が実行する撮影時間算出ルーチンのフローチャートであって、ステップＳ４０８とステップＳ４０９の間にステップＳ５０１が追加され、ステップＳ４１３がステップＳ５１３となる以外は図４の記憶可能映像枚数算出ルーチンと同一であるので、同一の処理には同一のステップ番号を付して説明を省略する。
【００５３】
即ち、撮影時間算出ルーチンにあっては、ＣＰＵ２０２は、記憶可能映像枚数ｎ（ｉ，ｊ）を算出（ステップＳ４０８）した後、記憶可能映像枚数ｎ（ｉ，ｊ）を１秒間当りの映像枚数α（例えば１３枚）で除して撮影可能時間Ｔ（ｉ，ｊ）を算出する（ステップＳ５０１）。
【００５４】
最後に、ＣＰＵ２０２は、撮影可能時間Ｔ（ｉ，ｊ）を図３の○で示した位置に表示する（ステップＳ５１３）。
【００５５】
このような本発明の実施の形態のデジタルカメラによれば、映像データ記憶手段の映像データが記憶されていない空き領域に記憶可能な映像枚数を複数の画素数ごとおよび複数の圧縮率ごとに算出して表示手段に表示する記憶可能映像枚数表示手段を設けることにより、画素数および圧縮率を選択しなくても画素数および圧縮率をパラメータとして空き領域に記憶可能な映像枚数を表示することができる。
【００５６】
なお、本発明のデジタルカメラを携帯電話に搭載可能であることは、当業者にとって明らかである。
【産業上の利用可能性】
【００５７】
以上のように、本発明に係るデジタルカメラは、画素数および圧縮率を設定しなくても、空き領域にさらに記憶可能な映像枚数を表示できるという効果を有し、デジタル撮影装置等として有効である。
【図面の簡単な説明】
【００５８】
【図１】本発明の実施の形態におけるデジタルカメラのブロック図
【図２】本発明の実施の形態におけるデジタルカメラのハードウエア構成を示すブロック図
【図３】液晶パネルに表示される画素数および圧縮率の表示例を示す図
【図４】本発明の実施の形態におけるデジタルカメラが実行する記憶可能映像枚数算出ルーチンのフローチャート
【図５】本発明の実施の形態におけるデジタルカメラが実行する撮影時間算出ルーチンのフローチャート
【符号の説明】
【００５９】
１  デジタルカメラ
１１  映像データ生成手段
１２  映像データ記憶手段
１３  表示手段
１４  記憶可能映像枚数表示手段
１５  強調表示手段
１６  変更手段
【図１】
2006314026.tif 000006
【図２】
2006314026.tif 000007
【図３】
2006314026.tif 000008
【図４】
2006314026.tif 000009
【図５】
2006314026.tif 000010